(57)【要約】【課題】より秘匿性の高い通信を行うことができるとともに、相互通信を行うファクシミリ通信で互換性を持たせる。【解決手段】ファクシミリ装置１ａの秘匿・翻訳処理部９は読み取った原稿の送信データＡを登録された固有の秘匿キーを使用して暗号処理し秘匿化したデータＸに変換してファクシミリ中継装置２に送信する。ファクシミリ中継装置２の秘匿・翻訳処理部１４は、受信した秘匿化したデータＸを送信側ファクシミリ装置１ａの固有の秘匿キーを使用して翻訳して送信データＡに変換し、変換した送信データＡを受信側ファクシミリ装置１ｂの固有の秘匿キーを使用して暗号処理して秘匿化したデータＹに変換して受信側ファクシミリ装置１ｂに送信する。受信側ファクシミリ装置１ｂの秘匿・翻訳処理部９は秘匿化したデータＹを登録された固有の秘匿キーを使用して翻訳し、送信データＡに変換する。【選択図】　　図１
2004147277.tif 000002
【特許請求の範囲】
【請求項１】
秘匿方式入力部と秘匿・翻訳処理部を有するファクシミリ装置であって、
秘匿方式入力部は、固有の秘匿方式を入力して登録し、秘匿・翻訳処理部は送信データを登録された固有の秘匿方式を使用して暗号処理して秘匿化したデータに変換し、受信した秘匿化したデータを登録された固有の秘匿方式を使用して翻訳して送信データに変換することを特徴とするファクシミリ装置。
【請求項２】
公衆網に接続された複数のファクシミリ装置と各ファクシミリ装置との通信を中継するファクシミリ中継装置とを有するファクシミリネットワークシステムにおいて、
ファクシミリ装置は秘匿方式入力部と秘匿・翻訳処理部を有し、秘匿方式入力部は、ファクシミリ装置に固有の秘匿方式を入力して登録し、秘匿・翻訳処理部は送信データを登録された固有の秘匿方式を使用して暗号処理して秘匿化したデータに変換し、受信した秘匿化したデータを登録された固有の秘匿方式を使用して翻訳して送信データに変換し、
ファクシミリ中継装置は、秘匿方式入力部と秘匿・翻訳処理部を有し、秘匿方式入力部は、各ファクシミリ装置毎に個別に登録された固有の秘匿方式を入力して登録し、秘匿・翻訳処理部は送信側ファクシミリ装置から送信された秘匿化したデータを、送信側ファクシミリ装置の固有の秘匿方式を使用して翻訳して送信データに変換し、変換した送信データを受信側ファクシミリ装置の固有の秘匿方式を使用して暗号処理して秘匿化したデータに変換して受信側ファクシミリ装置に送信することを特徴とするファクシミリネットワークシステム。
【請求項３】
複数のファクシミリ装置と各ファクシミリ装置に接続されたファクシミリ交換装置とを有するファクシミリネットワークシステムにおいて、ファクシミリ装置は秘匿方式入力部と秘匿・翻訳処理部を有し、秘匿方式入力部は、ファクシミリ装置に固有の秘匿方式を入力して登録し、秘匿・翻訳処理部は送信データを登録された固有の秘匿方式を使用して暗号処理して秘匿化したデータに変換し、受信した秘匿化したデータを登録された固有の秘匿方式を使用して翻訳して送信データに変換し、
ファクシミリ交換装置は、秘匿方式入力部と秘匿・翻訳処理部を有し、秘匿方式入力部は、各ファクシミリ装置毎に個別に登録された固有の秘匿方式を入力して登録し、秘匿・翻訳処理部は送信側ファクシミリ装置から送信された秘匿化したデータを、送信側ファクシミリ装置の固有の秘匿方式を使用して翻訳して送信データに変換し、変換した送信データを受信側ファクシミリ装置の固有の秘匿方式を使用して暗号処理して秘匿化したデータに変換して受信側ファクシミリ装置に送信することを特徴とするファクシミリネットワークシステム。
【請求項４】
前記各ファクシミリ装置毎に登録された固有の秘匿方式を使用して送信費用を算出する請求項２又は３記載のファクシミリネットワークシステム。
【発明の詳細な説明】
【０００１】
【発明の属する技術分野】
この発明は、秘匿通信を行うファクシミリ装置及びファクシミリネットワークシステム、特に、秘匿性の向上と互換性の向上に関するものである。
【０００２】
【従来の技術】
【特許文献１】特開平９−２０５５０８号公報
ファクシミリ装置から送信する文書の秘匿性を高めるために、例えば特許文献１に示すように、ファクシミリ装置から中継ファクシミリ装置を介して複数のファクシミリ装置へ中継送信を行うときに、送信側のファクシミリ装置は、特定の受信側のファクシミリ装置に対して中継秘匿送信を行うための中継秘匿コードを指定して中継秘匿文書の中継送信を中継ファクシミリ装置に依頼する。中継ファクシミリ装置は受信側のファクシミリ装置に中継秘匿コードの送信を要求し、受信側のファクシミリ装置から取得した中継秘匿コードと送信側のファクシミリ装置で指定された中継秘匿コードを比較し、両方の中継秘匿コードが一致したときに受信側のファクシミリ装置に中継秘匿文書を送信するようにしている。
【０００３】
【発明が解決しようとする課題】
前記のように送信側のファクシミリ装置と受信側のファクシミリ装置で共通の中継秘匿コードを持っていると、送信文書の秘匿性が悪くなるという短所がある。
また、相互通信を行うファクシミリ通信では基本的に秘匿をかけることによる互換性が無くなってしまう。
【０００４】
この発明はかかる短所を改善し、より秘匿性の高い通信を行うことができるとともに、相互通信を行うファクシミリ通信で互換性を持たせることができるファクシミリ装置及びファクシミリネットワークシステムを提供することを目的とするものである。
【０００５】
【課題を解決するための手段】
この発明のファクシミリ装置は、秘匿方式入力部と秘匿・翻訳処理部を有し、秘匿方式入力部は、固有の秘匿方式を入力して登録し、秘匿・翻訳処理部は送信データを登録された固有の秘匿方式を使用して暗号処理して秘匿化したデータに変換し、受信した秘匿化したデータを登録された固有の秘匿方式を使用して翻訳して送信データに変換することを特徴とする。
【０００６】
この発明のファクシミリネットワークシステムは、公衆網に接続された複数のファクシミリ装置と各ファクシミリ装置との通信を中継するファクシミリ中継装置とを有するファクシミリネットワークシステムにおいて、ファクシミリ装置は秘匿方式入力部と秘匿・翻訳処理部を有し、秘匿方式入力部は、ファクシミリ装置に固有の秘匿方式を入力して登録し、秘匿・翻訳処理部は送信データを登録された固有の秘匿方式を使用して暗号処理して秘匿化したデータに変換し、受信した秘匿化したデータを登録された固有の秘匿方式を使用して翻訳して送信データに変換し、ファクシミリ中継装置は、秘匿方式入力部と秘匿・翻訳処理部を有し、秘匿方式入力部は、各ファクシミリ装置毎に個別に登録された固有の秘匿方式を入力して登録し、秘匿・翻訳処理部は送信側ファクシミリ装置から送信された秘匿化したデータを、送信側ファクシミリ装置の固有の秘匿方式を使用して翻訳して送信データに変換し、変換した送信データを受信側ファクシミリ装置の固有の秘匿方式を使用して暗号処理して秘匿化したデータに変換して受信側ファクシミリ装置に送信することを特徴とする。
【０００７】
この発明の他のファクシミリネットワークシステムは、複数のファクシミリ装置と各ファクシミリ装置に接続されたファクシミリ交換装置とを有するファクシミリネットワークシステムにおいて、ファクシミリ装置は秘匿方式入力部と秘匿・翻訳処理部を有し、秘匿方式入力部は、ファクシミリ装置に固有の秘匿方式を入力して登録し、秘匿・翻訳処理部は送信データを登録された固有の秘匿方式を使用して暗号処理して秘匿化したデータに変換し、受信した秘匿化したデータを登録された固有の秘匿方式を使用して翻訳して送信データに変換し、ファクシミリ交換装置は、秘匿方式入力部と秘匿・翻訳処理部を有し、秘匿方式入力部は、各ファクシミリ装置毎に個別に登録された固有の秘匿方式を入力して登録し、秘匿・翻訳処理部は送信側ファクシミリ装置から送信された秘匿化したデータを、送信側ファクシミリ装置の固有の秘匿方式を使用して翻訳して送信データに変換し、変換した送信データを受信側ファクシミリ装置の固有の秘匿方式を使用して暗号処理して秘匿化したデータに変換して受信側ファクシミリ装置に送信することを特徴とする。
【０００８】
また、各ファクシミリ装置毎に登録された固有の秘匿方式を使用して、ファクシミリ中継装置やファクシミリ交換装置から受信側ファクシミリ装置に対する送信費用を算出して送信側ファクシミリ装置に負担させ、利用料金の適正化を図る。
【０００９】
【発明の実施の形態】
図１はこの発明のファクシミリネットワークシステムの構成図である。図に示すように、複数のファクシミリ装置１ａ〜１ｎとファクシミリ中継装置２が公衆網３に接続されている。ファクシミリ装置１ａ〜１ｎは、図２のブロック図に示すように、主制御部５と画像入出力部６と通信ユニット７とハードディスク８と秘匿・翻訳処理部９及び秘匿キー入力部１０を有する。主制御部５は、画像入出力部６や通信ユニット７等の制御を行うものであり、ＣＰＵと制御プログラムを格納したＲＯＭやプログラム実行時のワークメモリとして使用するＲＡＭ等を有する。画像入出力部６は送信原稿を読み取るスキャナや受信した情報を記録紙へ印刷するプロッタを有する。通信ユニット７は公衆網３との間で通信を行う。この通信としてはアナログ回線やＩＳＤＮなどのデジタル回線と接続可能である。通信手順はアナログ回線はＧ３手順、デジタル回線ではＧ４手順を制御する。ハードディスク８は不揮発性の２次記憶部であり、大量にデータや長期保存するデータを格納する。秘匿・翻訳処理部９は、送信するデータを暗号化して秘匿し、受信した秘匿データを翻訳する。秘匿キー入力部１０は、秘匿・翻訳処理部９で暗号化したり翻訳するときの秘匿キーを入力するものであり、メモリカードなど記録媒体からの読み込みや操作キーを用いた入力で秘匿キーを入力する。
【００１０】
ファクシミリ中継装置２は、図３のブロック図に示すように、主制御部１１と複数の通信ユニット１２ａ〜１２ｎとハードディスク１３と秘匿・翻訳処理部１４及び秘匿キー入力部１５を有する。主制御部１１は通信ユニット１２ａ〜１２ｎ等の制御を行うものであり、ＣＰＵと制御プログラムを格納したＲＯＭやプログラム実行時のワークメモリとして使用するＲＡＭ等を有する。通信ユニット１２ａ〜１２ｎは公衆網３との間で通信を行う。この通信としてはアナログ回線やＩＳＤＮなどのデジタル回線と接続可能である。通信手順はアナログ回線はＧ３手順、デジタル回線ではＧ４手順を制御する。ハードディスク１３は不揮発性の２次記憶部であり、大量にデータや長期保存するデータを格納したり、中継処理をするときにバッファーとして使用する。秘匿・翻訳処理部１４は、送信側のファクシミリ装置１ａで暗号化して中継依頼されたデータを翻訳し、翻訳したデータを受信側のファクシミリ装置に応じて暗号化して秘匿する。秘匿キー入力部１５は、秘匿・翻訳処理部１４で翻訳したり暗号化するときの秘匿キーを入力するものであり、メモリカードなど記録媒体からの読み込みや操作キーを用いた入力で秘匿キーを入力する。
【００１１】
このファクシミリネットワークシステムにおいて、ファクシミリ装置１ａ〜１ｎとファクシミリ中継装置２の秘匿キーはあらかじめ別個に定められている。そしてファクシミリ装置１ａ〜１ｎのうち例えばファクシミリ装置１ａ，１ｂの秘匿キーは、それぞれ秘匿キー入力部１０に入力してハードディスク８に格納されているとともにファクシミリ中継装置２の秘匿キー入力部１５に入力してハードディスク１３に格納されている。
【００１２】
このファクシミリネットワークシステムで、例えばファクシミリ装置１ａからファクシミリ装置１ｂに原稿の情報を秘匿送信するときは、図４のフローチャートに示すように、画像入出力部６で送信原稿の読取処理を行う（ステップＳ１）。この読み取った送信原稿のデータＡに対して秘匿・翻訳処理部９はハードディスク８にあらかじめ格納した秘匿キーを使用して暗号処理を行い、秘匿化した送信データＸに変換する（ステップＳ２）。主制御部５は秘匿化した送信データＸを受信側のファクシミリ装置１ｂの情報とともに通信ユニット７を介してファクシミリ中継装置２に送信する（ステップＳ３）。
【００１３】
ファクシミリ中継装置２はファクシミリ装置１ａから秘匿化した送信データＸを受信すると、図５のフローチャートに示すように、主制御部１１は受信処理で送信元情報と送信先情報を解析する（ステップＳ１１）。この送信元情報は公衆回線のサービスである発信番号通知やＧ３プロトコルやＧ４プロトコル上の発信元情報から得る。また、送信先情報は中継手順を有する場合はＧ３プロトコルやＧ４プロトコル上から情報を得る。アナログ回線の場合はプッシュトーンを利用した送信先情報を得ることもできる。受信処理後、主制御部１１はハードディスク１３に送信側の秘匿キーが格納されているかどうかを確認する（ステップＳ１２）。この確認の結果、送信側の秘匿キーが格納されていない場合は、秘匿化した送信データＸをそのまま送信処理する（ステップＳ１６）。また、送信側であるファクシミリ装置１ａの秘匿キーを有する場合は、秘匿・翻訳処理部１４に秘匿化した送信データＸの翻訳処理を行わせる（ステップＳ１３）。秘匿・翻訳処理部１４は秘匿化した送信データＸをハードディスク１３に格納されているファクシミリ装置１ａの秘匿キーを使用して翻訳し、正常な送信データＡに変換する。秘匿・翻訳処理部１４で送信データＸを送信データＡに変換すると、主制御部１１は受信側のファクシミリ装置１ｂの秘匿キーがハードディスク１３に格納されているかどうかを確認する（ステップＳ１４）。この確認の結果、受信側の秘匿キーが格納されていない場合は、送信データＡをそのまま送信処理する（ステップＳ１６）。また、受信側であるファクシミリ装置１ｂの秘匿キーを有する場合は、秘匿・翻訳処理部１４に送信データＡの暗号処理を行わせる（ステップＳ１５）。秘匿・翻訳処理部１４は送信データＡをハードディスク１３に格納されているファクシミリ装置１ｂの秘匿キーを使用して暗号処理を行い、秘匿化した送信データＹに変換する。主制御部１１は秘匿化した送信データＹを受信側のファクシミリ装置１ｂに通信ユニット１２ａを介して送信する（ステップＳ１６）。
【００１４】
受信側のファクシミリ装置１ｂは、図６のフローチャートに示すように、ファクシミリ中継装置２から秘匿化した送信データＹを受信すると（ステップＳ２１）、受信した送信データＹを秘匿・翻訳処理部９でハードディスク１３に格納されているファクシミリ装置１ａの秘匿キーを使用して翻訳し、正常な送信データＡに変換する（ステップ２２）。主制御部５は変換した送信データＡを画像入出力部６から記録紙に出力する（ステップＳ２３）。
【００１５】
このようにファクシミリ装置１ａ，１ｂの個別の秘匿キーを使用して送信データを暗号化するとともに暗号化した送信データを翻訳するから、秘匿強度を高めることができるとともにファクシミリ装置１ａ，１ｂとの互換性を持たせることもできる。
【００１６】
前記説明ではファクシミリ装置１ａ，１ｂの個別の秘匿キーを使用して送信データを暗号処理したり、秘匿化したデータを翻訳する場合について説明したが、ファクシミリ装置１ａ，１ｂの個別の暗号・翻訳方式を使用して送信データを暗号処理したり、秘匿化したデータを翻訳しても良い。
【００１７】
また、前記説明では公衆網３に接続されたファクシミリ中継装置２を使用してファクシミリ装置１ａから送信された秘匿化した送信データをファクシミリ装置１ａの秘匿キーを使用して翻訳し、翻訳した送信データをファクシミリ装置１ｂの秘匿キーを使用して暗号処理する場合について説明したが、図７に示すように、ファクシミリ通信機能と回線交換機能を有するファクシミリ交換装置４に、ファクシミリ中継装置２と同様な秘匿・翻訳処理部１４を設けて、ファクシミリ交換装置４で秘匿化した送信データの翻訳処理と暗号処理を行うようにしても良い。このようにファクシミリ交換装置４により秘匿化した送信データの翻訳処理と暗号処理を行うことにより、各ファクシミリ装置１ａ〜１ｎの個別認証が通信に依存せず、確実に各ファクシミリ装置１ａ〜１ｎを認識することができるとともに情報の漏洩を防止することができる。
【００１８】
また、各ファクシミリ装置１ａ〜１ｎ毎に登録された固有の秘匿キーを使用して、ファクシミリ中継装置２やファクシミリ交換装置４から受信側ファクシミリ装置に対する送信費用を算出して送信側ファクシミリ装置に負担させることにより、利用料金の適正化を図ることができる。
【００１９】
【発明の効果】
この発明は以上説明したように、各ファクシミリ装置にそれぞれ固有の秘匿方式を登録し、送信データを登録された固有の秘匿方式を使用して暗号処理して秘匿化したデータに変換し、受信した秘匿化したデータを登録された固有の秘匿方式を使用して翻訳して送信データに変換するようにしたから、各ファクシミリ装置毎に異なる秘匿方式を使用して送信データを暗号化することができ、送信データの秘匿性を高めることができる。
【００２０】
また、各ファクシミリ装置からの秘匿化したデータを中継する公衆網に接続されたファクシミリ中継装置で、送信側ファクシミリ装置から送信された秘匿化したデータを、送信側ファクシミリ装置の固有の秘匿方式を使用して翻訳して送信データに変換し、変換した送信データを受信側ファクシミリ装置の固有の秘匿方式を使用して暗号処理して秘匿化したデータに変換して受信側ファクシミリ装置に送信することにより、送信データの秘匿性を高めることができるとともに各ファクシミリ装置との互換性を持たせることもできる。
【００２１】
また、各ファクシミリ装置からの秘匿化したデータをファクシミリ交換装置で、送信側ファクシミリ装置から送信された秘匿化したデータを、送信側ファクシミリ装置の固有の秘匿方式を使用して翻訳して送信データに変換し、変換した送信データを受信側ファクシミリ装置の固有の秘匿方式を使用して暗号処理して秘匿化したデータに変換して受信側ファクシミリ装置に送信することにより、各ファクシミリ装置の個別認証が通信に依存せず、確実に各ファクシミリ装置を認識することができるとともに情報の漏洩を防止することができる。
【００２２】
さらに、各ファクシミリ装置毎に登録された固有の秘匿方式を使用して、ファクシミリ中継装置やファクシミリ交換装置から受信側ファクシミリ装置に対する送信費用を算出して送信側ファクシミリ装置に負担させることにより、利用料金の適正化を図ることができる。
【図面の簡単な説明】
【図１】この発明のファクシミリネットワークシステムの構成図である。
【図２】ファクシミリ装置の構成を示すブロック図である。
【図３】ファクシミリ中継装置の構成を示すブロック図である。
【図４】ファクシミリ装置の送信処理を示すフローチャートである。
【図５】ファクシミリ中継装置の中継処理を示すフローチャートである。
【図６】ファクシミリ装置の受信処理を示すフローチャートである。
【図７】他のファクシミリネットワークシステムの構成図である。
【符号の説明】
１；ファクシミリ装置、２；ファクシミリ中継装置、３；公衆網、
４；ファクシミリ交換装置、５；主制御部、６；画像入出力部、
７；通信ユニット、８；ハードディスク、９；秘匿・翻訳処理部、
１０；秘匿キー入力部、１１；主制御部、１２；通信ユニット、
１３；ハードディスク、１４；秘匿・翻訳処理部、１５；秘匿キー入力部。
【図１】
2004147277.tif 000003
【図２】
2004147277.tif 000004
【図３】
2004147277.tif 000005
【図４】
2004147277.tif 000006
【図５】
2004147277.tif 000007
【図６】
2004147277.tif 000008
【図７】
2004147277.tif 000009